(57)【要約】【課題】  操作しやすい場所に配電盤を具備すると共に、主線及び各分岐線の状態を確認することができるシューズボックスを提供する。【解決手段】  この発明に係るシューズボックスは、玄関の所定の位置に配置されると共に、枠体と、該枠体前面を開閉する開閉扉と、前記枠体内に配置される複数の棚とによって少なくとも構成されるシューズボックスにおいて、屋外から引き込まれた主線と屋内の各経路の分岐する分岐線との間に位置する配電盤と、前記主線及び各分岐線の状態を表示する表示部とを具備する。【選択図】    図２
2005110467.tif 000002
【特許請求の範囲】
【請求項１】
玄関の所定の位置に配置されると共に、枠体と、該枠体前面を開閉する開閉扉と、前記枠体内に配置される複数の棚とによって少なくとも構成されるシューズボックスにおいて、
屋外から引き込まれた主線と屋内の各経路の分岐する分岐線との間に位置する配電盤と、前記主線及び各分岐線の状態を表示する表示部とを具備することを特徴とするシューズボックス。
【請求項２】
前記表示部は、主線の遮断状況及び各分岐線の漏電情報を表示することを特徴とする請求項１記載のシューズボックス。
【請求項３】
前記表示部は、主線からの電力により自動充電される充電式バッテリーを電源として具備することを特徴とする請求項１又は２記載のシューズボックス。
【請求項４】
前記配電盤は、前記枠体下方内部に画成された収納空間に配設され、該収納空間は保護扉によって開閉可能であることを特徴とする請求項１，２又は３記載のシューズボックス。
【請求項５】
前記保護扉の開扉によって作動し、前記配電盤の照らす照明手段を設けることを特徴とする請求項４記載のシューズボックス。
【請求項６】
前記開閉扉の前記表示部前面に位置する部分は、透明若しくはスモーク状に形成され、開閉扉の閉扉時においても目視可能であることを特徴とする前段請求項のいずれか一つに記載のシューズボックス。
【発明の詳細な説明】
【技術分野】
【０００１】
本発明は、玄関脇等に配設され、配電盤を具備するシューズボックスに関する。
【背景技術】
【０００２】
特許文献１は、負荷が所定値に達し、ブレーカーが遮断する前に警報を発生すると共に分岐ブレーカーの遮断／投入状態が表示可能な制御配電盤を提供する。このため、負荷電流を計測する計測部を設け、複数の分岐ブレーカーが遮断する前にスピーカーにて警報を発し、さらに複数の分岐ブレーカーは、優先順位に従って遮断／投入されるものである。
【０００３】
特許文献２は、分電盤等が収められている収納ボックスの扉が開放されたことを人に知らせて注意を促すことを目的として、配電盤が収納されてその正面が開放された箱体と、この箱体の正面を開閉する扉とからなる配電盤収納ボックスにおいて、前記箱体に警報手段を設けるとともに、この警報手段と電源との間に接続されて、前記扉が開いた時に回路が閉じ、扉が閉じた時に回路が開く作動スイッチを前記箱体に設けたものである。
【特許文献１】特開２０００−１３９３３号公報
【特許文献２】実開平６−５２３１３号公報
【発明の開示】
【発明が解決しようとする課題】
【０００４】
従来の配電盤は、外部から主線を引き込みやすい場所に設置されるのが好ましく、集合住宅では、玄関に近接した位置に配置されるのが通常である。また、現在では、使用される電気機器の種類も豊富であり、また容量をある程度確保する必要があるため、必要に応じて主線から各経路毎に分岐させ、上述した引例に示されたように主線及びそれぞれの分岐線上に過電流遮断器（ブレーカー）を設置するようになっている。
【０００５】
しかしながら、従来の配電盤にように、玄関の上部に設置された場合には、見栄えが悪く、また高い位置に設置されるので、復帰作業が困難であるという不具合があった。
【０００６】
さらに、夜にブレーカーが落ちた場合、どの主線のブレーカーが遮断したのか、分岐線のどの経路のブレーカーが遮断したのかを確認することが難しいという不具合があった。
【０００７】
このため、本発明は、操作しやすい場所に配電盤を具備すると共に、主線及び各分岐線の状態を確認することができるシューズボックスを提供することにある。
【課題を解決するための手段】
【０００８】
したがって、この発明は、玄関の所定の位置に配置されると共に、枠体と、該枠体前面を開閉する開閉扉と、前記枠体内に配置される複数の棚とによって少なくとも構成されるシューズボックスにおいて、屋外から引き込まれた主線と屋内の各経路の分岐する分岐線との間に位置する配電盤と、前記主線及び各分岐線の状態を表示する表示部とを具備することにある。
【０００９】
前記表示部は、主線の遮断状況及び各分岐線の漏電情報を表示することが望ましい。また、前記主線及び分岐線上に配置される過電流遮断器（ブレーカー）のオンオフ状況を表示するものであっても良いものである。
【００１０】
また、前記表示部は、主線からの電力により自動充電される充電式バッテリーを電源として具備することが望ましい。
【００１１】
さらに、前記配電盤は、前記枠体下方内部に画成された収納空間に配設され、該収納空間は保護扉によって開閉可能であることが望ましい。前記保護扉の開扉によって作動し、前記配電盤の照らす照明手段を設けることが望ましい。
【００１２】
また、前記開閉扉の前記表示部前面に位置する部分は、透明若しくはスモーク状に形成され、開閉扉の閉扉時においても目視可能であることが望ましい。
【発明の効果】
【００１３】
この発明によれば、玄関脇等に設置されるシューズボックスに、配電盤を収納したことから、玄関周縁の見た目を良好にすることができると共に、各分岐経路の漏電状況、又は
配電盤の過電流遮断器のオンオフ状態を一目でみることができるため、異常事態の修復作業及び過電流遮断器の復帰作業を容易に行うことができるものである。
【００１４】
また、シューズボックスの下方に収納するようにしたことによって、復帰作業を行いやすく、また配電盤前面に開閉扉を設けたことによって、シューズボックス開扉時の見た目を良好にすることができる。
【発明を実施するための最良の形態】
【００１５】
以下、この発明の実施例について図面により説明する。
【実施例１】
【００１６】
図１乃至図３で示すように、本願発明の実施例に係るシューズボックス１は、玄関脇等の所定の位置に配設される枠体２と、枠体２の前面を開閉する開閉扉３と、前記枠体２内分に設けられる棚部４とによって構成される。
【００１７】
そして、棚部４の最上段の収納空間６０には表示部６が収納され、最下部の収納空間２０には配電盤ボックス５が収納される。また、前記開閉扉３の上部には、透明のアクリル板又はスモークガラスによって可視部３１が設けられ、シューズボックス１の内部が目視可能なようになっている。さらに、前記最下部の収納空間２０の前面には例えばアクリル製の保護扉７が設けられる。
【００１８】
配電盤５は、基本的には、例えば図４で示すように、屋外から引き込まれた主線８上に配置されたメインブレーカー５１と、前記主線８から各経路毎に分岐する分岐線９上に配置された分岐ブレーカー５２とが配置される。これらのブレーカー５１，５２は、過電流を検出して磁気を発生するコイル部５１Ａ，５２Ａと、このコイル部５１Ａ，５２Ａに発生する磁気によって遮断されるスイッチ部５１Ｂ，５２Ｂと、このスイッチ部５１Ｂ，５２Ｂを復帰させるための復帰手動ノブ５１Ｃ，５２Ｃとによって構成される。
【００１９】
前記表示部６は、基本的に主線８の導通を示す電源ランプ６１、主線８に過電流が流れたことを表示する漏電警報ランプ又は主線が遮断したことを表示する遮断ランプ６２、各分岐線毎に過電流が流れたことを表示する漏電警報ランプ又は分岐線経路が遮断されたことを表示する経路遮断ランプ６３とによって構成される。
【００２０】
前記表示部６の一例が、図４及び図５に示される。主線８及び各分岐線９上に電流を検出する電流検出コイル部６４，６５が設けられ、その信号が表示部６へ送られる。また、表示部６には、分岐線１０を介して電力が供給される。
【００２１】
図５で示すように、分岐線１０から供給された電力は、トランス１１によって電圧が下げられ、整流器１２によって直流に変換され、通常は、充電式バッテリー１３が配線１４を介して充電される。
【００２２】
正常時の場合、電流検出コイル部６４に発生する電流により、Ａ接点スイッチ６４Ａがオンとなるため、電源ランプ６１が点灯し、Ｂ接点スイッチ６４Ｂがオフとなるため、遮断ランプ６２は消灯する。メインブレーカー５１によって主線が遮断された場合には、電流検出コイル部６４に電流が発生しないため、Ａ接点スイッチ６４Ａがオフとなると同時にＢ接点スイッチ６４Ｂがオンとなる。このため、電源ランプ６１が消灯し、充電バッテリ１３から供給される電力によって遮断ランプ６２が点灯する。これによって、主線８のメインブレーカー５１が遮断したことがわかる。
【００２３】
同様に、いずれかの分岐線９上のブレーカー５２が遮断した場合、それに対応する電流検出コイル部６５からの電流がなくなるため、それぞれの電流検出コイル部６５に対応するＢ接点スイッチ６５Ｂがオンとなるため、それに対応する経路遮断ランプ６３が点灯するため、その経路に過電流が流れたことがわかるため、その経路上の問題点を解消し、シューズボックス１の開閉扉３及び保護扉７を開いて、対応するブレーカー５２の復帰手動ノブ５２Ｃによってブレーカー５２のスイッチ部５２Ｂを復帰させることができるものである。
【００２４】
また、前記保護扉７を開扉した時に、前記配電盤７の前面を照らすような照明、例えば
リードランプ７０を設けるものである。この照明は、時に図示しないが、前記充電式バッテリーを電源とするものである。
【００２５】
さらに、上記実施例では、表示部６は、通常は消灯した状態で、問題が生じた場合に点灯する構造としたが、例えば、正常運転の場合には緑ランプを点灯させ、問題が生じた経路については赤色に色を変化させるようにしても良いものである。さらにまた、正常運転の場合には緑色、所定の範囲内において過電流が流れた場合には黄色、漏電の恐れがある場合には赤色、経路が遮断された場合には消灯というように、ランプの状態を変化させるようにしても良いものである。
【図面の簡単な説明】
【００２６】
【図１】本発明の実施例に係るシューズボックスの正面図である。
【図２】本発明の実施例に係るシューズボックスの斜視図である。
【図３】本発明の実施例に係るシューズボックスの一部拡大斜視図である。
【図４】本発明の実施例に係る配電盤の一例を示した電気配線図である。
【図５】本発明の実施例に係る表示部の一例を示した電気配線図である。
【符号の説明】
【００２７】
１  シューズボックス
２  枠体
３  開閉扉
４  棚部
５  配電盤
６  表示部
【図１】
2005110467.tif 000003
【図２】
2005110467.tif 000004
【図３】
2005110467.tif 000005
【図４】
2005110467.tif 000006
【図５】
2005110467.tif 000007